(57)【要約】      （修正有）【課題】特に植物性バイオマス原料から得られるレブリン酸類及び／又はレブリン酸エステルから高い反応選択率と高い収率でアルキル置換ガンマブチロラクトン類を得ることができる安価な非クロム系触媒を提供すること、またその触媒を用いてレブリン酸化合物からアルキル置換ガンマブチロラクトン類を高い選択率と高い収率で経済的に製造する方法、及び製造するための装置を提供する。【解決手段】レブリン酸及び／またはレブリン酸エステルを水素化、環化して５−アルキル−ガンマブチロラクトンを製造するための触媒であって、酸化銅と、酸化亜鉛及び／または酸化アルミニウムとを含む酸化物複合体の形の触媒を用いる。ラクトン合成は、触媒の存在下、原料及び溶剤蒸気の存在下に、水素ガスと気相で行う。【選択図】なし【特許請求の範囲】
【請求項１】
以下一般式１：
【化１】
2014166604.tif 000010
［式中、Ｒ１は、炭素原子数１〜４個のアルキル基、Ｒ２及びＲ３はそれぞれ無関係に水素または炭素原子数１〜４個のアルキル基、Ｒ４は水素または炭素原子数８個以下の炭化水素基である］
で表されるレブリン酸（Ｒ４＝水素）及び／またはレブリン酸エステル（Ｒ４＝炭素原子数８個以下の炭化水素基）から以下一般式２
【化２】
2014166604.tif 000011
［式中、Ｒ１、Ｒ２、Ｒ３は、上に定義した通りである］
で表される５−アルキル−ガンマブチロラクトンを製造するための触媒であって、酸化銅と、酸化亜鉛及び／または酸化アルミニウムとを含む酸化物複合体の形の前記触媒。
【請求項２】
酸化銅と酸化亜鉛及び／または酸化アルミニウムとの総量を基準として、酸化銅の割合が５０重量％以上、９５重量％以下である、請求項１に記載の触媒。
【請求項３】
水素還元して活性化された、請求項１または２に記載の触媒。
【請求項４】
触媒表面に金属銅が存在している、請求項３に記載の触媒。
【請求項５】
表面積が１０〜５００ｍ２／ｇである、請求項３または４に記載の触媒。
【請求項６】
前記一般式２で表される５−アルキル−ガンマブチロラクトンの製造方法であって、
（ａ）  前記一般式１で表されるレブリン酸及び／またはエステルを用意するステップ、
（ｂ）  （ａ）からのレブリン酸及び／またはエステルを加熱、気化して蒸気を生成するステップ、
（ｃ）  （ｂ）からの蒸気を、請求項３〜５のいずれか一つに記載の触媒の存在下に、水素ガスと気相で反応させて、前記一般式２で表される５−アルキル−ガンマブチロラクトンを生成するステップ、
を含む、前記方法。
【請求項７】
ステップ（ｃ）において、気相での水素ガスとの反応を、前記レブリン酸及び／またはエステルを溶解し得る溶剤の蒸気の存在下に行う、請求項６に記載の方法。
【請求項８】
レブリン酸及び／またはエステルを溶解し得る溶剤が、水及び炭素原子数１〜６個のアルコールからなる群から選択される少なくとも一種である、請求項７に記載の方法。
【請求項９】
前記一般式２で表される５−アルキル−ガンマブチロラクトンの製造方法であって、
（ｄ）  前記一般式１で表されるレブリン酸及び／またはエステルを用意するステップ、
（ｅ）  （ｄ）からのレブリン酸及び／またはエステルを加熱、気化して蒸気を生成するステップ、
（ｆ）  前記レブリン酸及び／またはエステルを溶解し得る溶剤を用意するステップ、
（ｇ）  （ｆ）からの溶剤を加熱、気化して溶剤蒸気を生成するステップ、
（ｈ）  （ｅ）からの蒸気を、触媒及び（ｇ）からの溶剤蒸気の存在下に、水素ガスと気相で反応させて、前記一般式２で表される５−アルキル−ガンマブチロラクトンを生成するステップ、
を含む、前記方法。
【請求項１０】
ステップ（ｆ）において、レブリン酸及び／またはエステルを溶解し得る溶剤が、水及び炭素原子数１〜６個のアルコールからなる群から選択される少なくとも一種である、請求項９に記載の方法。
【請求項１１】
ステップ（ｃ）または（ｈ）において、気相での水素ガスとの反応を、２００℃〜３３０℃の温度下に行う、請求項６〜１０のいずれか一つに記載の方法。
【請求項１２】
ステップ（ｃ）または（ｈ）において、水素を、０．１〜１０ＭＰａの供給圧で導入する、請求項６〜１１のいずれか一つに記載の方法。
【請求項１３】
ステップ（ａ）または（ｄ）において、レブリン酸とレブリン酸エステルとの混合物を用意し、ステップ（ｂ）または（ｅ）においてレブリン酸とレブリン酸エステルとを一つの気化装置で加熱、気化する、請求項６〜１２のいずれか一つに記載の方法。
【請求項１４】
ステップ（ａ）または（ｄ）において、レブリン酸とレブリン酸エステルとを別々に用意し、そしてステップ（ｂ）または（ｅ）において、レブリン酸とレブリン酸エステルとを、それぞれ異なる気化装置において加熱、気化する、請求項６〜１２のいずれか一つに記載の方法。
【請求項１５】
ステップ（ｃ）または（ｈ）において、気化されたレブリン酸とレブリン酸エステルとを一緒にまたは相前後して、同一の触媒反応装置において、触媒と接触させて反応を行う、請求項１４に記載の方法。
【請求項１６】
ステップ（ａ）または（ｄ）において、レブリン酸及び／またはエステルが、これらを溶解し得る溶剤中の溶液として用意され、ステップ（ｂ）または（ｅ）において、レブリン酸及び／またはエステルが溶剤と一緒に加熱、気化され、混合蒸気が生成される、請求項６〜１５のいずれか一つに記載の方法。
【請求項１７】
レブリン酸及び／またはエステルを溶解し得る溶剤が、水及び炭素原子数１〜６個のアルコールからなる群から選択される少なくとも一種である、請求項１６に記載の方法。
【請求項１８】
レブリン酸及び／またはレブリン酸エステルが、植物性バイオマスを出発原料とする、請求項６〜１７のいずれか一つに記載の方法。
【請求項１９】
特に請求項６〜１８のいずれか一つに記載の方法を実施するために適した、前記一般式１のレブリン酸とレブリン酸エステルとの両方を原料として、前記一般式２の一つのラクトン化合物を製造するための反応設備であって、
・触媒（０２）を収容した一つの反応装置（０１）、
・原料としてのレブリン酸及びレブリン酸エステルを収容、加熱、気化するための共通のまたは別個の装置（１１、１２）、
・前記装置（１１、１２）から原料蒸気を反応装置（０１）に供給するための配管、
・水素ガスを収容するための装置（１３）、
・前記水素ガス収容装置（１３）から反応装置（０１）に水素ガスを供給するための配管、
・任意に、レブリン酸類及びレブリン酸エステル類を溶解し得る溶剤を収容、加熱、気化する装置（１４）、及び前記装置（１４）から溶剤蒸気を反応装置（０１）に供給するための配管、
を備えた、前記反応設備。
【発明の詳細な説明】
【技術分野】
【０００１】
本発明は、酸化銅と酸化亜鉛および／又は酸化アルミニウムとの酸化物複合体から形成される触媒を用いて、特にバイオマス原料から得られるレブリン酸及び／又はそのエステルからラクトン類を製造する方法に関する。
【背景技術】
【０００２】
近年、地球温暖化や石油資源枯渇問題から樹木などの植物性バイオマスを出発原料として、有用な化学原料を製造する技術に対する関心が高まってきている。
【０００３】
植物性バイオマスから得られる材料としてはセルロースとリグニンが主要な材料であり、セルロースについては従来から化学物質原料として活発な用途開発が進められてきた。一方、リグニンは有効な用途が従来見つからず、もっぱら重油代替燃料などとして使用されてきたのが実情であったが、近年はその化学原料としての用途開発への期待も高まっている。
【０００４】
セルロースから変換される物資としてエタノールとレブリン酸等が挙げられる。セルロースからのエタノール合成の反応は、生成物としてＣＯ２を生成するため、もとのセルロース炭素数の１／３の炭素が二酸化炭素として排出・消失してしまい、効率が悪い。それに対してレブリン酸合成反応では、ギ酸などの副生成物も生成するが、それら副生成物も中間体として他の有用化学物質に利用できるため、炭素利用効率が高く好ましい。
【０００５】
セルロースからレブリン酸を得る方法としては従来、硫酸などの強酸を用いて加水分解する方法が主流であったが、多量の強酸を使用するための防食性反応装置が高価となり、また使用済の酸の煩雑な処理に費用を要するなどの問題があった。それに対して近年、セルロースをメタノール加溶媒分解反応させてレブリン酸エステルを得る高効率の触媒の開発が進み、得られたレブリン酸エステルを化学原料として他の化学品を得るための反応プロセスに強い関心が持たれている。
【０００６】
そのようなレブリン酸エステルを化学原料として利用する方法の一つとして水素化触媒を用いてγ−バレロラクトンを得る方法がある。
【０００７】
【化１】
2014166604.tif 000002
得られるγ−バレロラクトンは、アジピン酸エステルなどの機能性化学品、樹脂原料、ブテンその他のオレフィン化合物、ＴＨＦなどの燃料添加剤など多種の用途に活用することが出来る。そのために、レブリン酸エステルを水素化してγーバレロラクトンを得るための工業的製法の開発も活発に行われている。
【０００８】
セルロースの加溶媒分解によって得られるレブリン酸エステルの水素化触媒としては、特許文献１で示されるような酸化物触媒が知られているが、反応選択率や収率が低く、またコバルトなどの高価な金属、もしくは酸化クロムなどの有毒物を使用するなど、問題が多くその改良が望まれている。
【０００９】
一方、植物性バイオマス中の他の主要成分であるリグニンから得られる３−カルボキシムコノラクトンを原料としてレブリン酸を得る方法が特許文献２に示され、今後のリグニン用途開発に注目されている。この方法により得られるレブリン酸も、特許文献３で示される白金触媒などを使用すれば、容易に水素化してγ−バレロラクトンを得ることができる。
【００１０】
特許文献３中には、シリカなどに担持した貴金属触媒を用いて、レブリン酸を水素化する方法が示されている。しかしながらこの方法では液相中、高温で水素と反応させるために系内で反応物が滞留して二次的な反応により副生成物を生成しやすい欠点がある。また高温で液体状態に維持するために反応装置として高い圧力に耐える反応装置が必要があり、また高価格の貴金属触媒を使用するなど、コスト的に課題が多く、その解決が望まれている。
【００１１】
レブリン酸もしくはレブリン酸エステルを水素化するための反応装置は、共に植物性バイオマスである植物を出発原料とし、またそれらからの生成物質として同一のラクトンを得ることを目的としているために、もしも同一の装置を用いることができると経済的に大変好ましい。同一の製造装置を使用することにより、植物性バイオマス処理ラインから出されるセルロース、リグニンを中間原料として得られるレブリン酸エステル、レブリン酸を一つの触媒と製造装置を用いてラクトンを得ることが可能となる。また、プラント建設費用を低減でき、原料や製造物の運搬・管理などを簡易化する点で大きなメリットが期待できる。
【００１２】
共通の製造装置を使うための方法として、植物性バイオマス原料からリグニンを経て得られるレブリン酸を一度エステル化した上で、レブリン酸エステルの水素化用触媒を通して水素化する方法が考えられる。しかしながらこの方法では、エステル化の工程が増えるために収率等が低下し、反応設備建設が必要になるなど、経済的に好ましくない。
【００１３】
もしもレブリン酸とレブリン酸エステルの両方に対して効率よく水素化できる触媒が存在すれば、共通の製造装置を用いてγ−バレロラクトンを得ることが可能と考えられるが、いまだそのような方法の提案も、またその提案を実現できるような触媒は見出されておらず、今後の開発に期待が持たれていた。
【００１４】
以上述べた如く、植物性バイオマスを出発原料とするレブリン酸及び／又はレブリン酸エステルからγ−バレロラクトンを高選択率、高収率で得るための、無毒、低価格の触媒が見出されていなかった。更にはレブリン酸、レブリン酸エステル両方を、同一の触媒を用いて、同一の製造装置を用いて高収率、高選択率をもって水素化、ラクトン合成を可能とする方法、反応設備も知られていなかった。
【先行技術文献】
【特許文献】
【００１５】
【特許文献１】特公平０３−５７９０５
【特許文献２】特開２０１０−１５０１５９
【特許文献３】特表２００５−５００９８７
【特許文献４】ＤＥ１０１３６４２
【発明の概要】
【発明が解決しようとする課題】
【００１６】
本発明の目的は、レブリン酸類及び／又はそのエステルから向上した反応選択率と収率でブチロラクトン類を得ることができる安価な非クロム系触媒を提供することである。
【００１７】
本発明の別の目的は、レブリン酸類及び／又はそのエステルからブチロラクトン類を１ステップで製造するための方法であって、クロムを非含有で安価、無毒な金属触媒を用いて、向上した選択率と高い収率とを実現することができる経済的な製造方法を提供することにある。
【００１８】
本発明の更に別の目的は、上記触媒を用いて植物性バイオマス由来のレブリン酸エステル、レブリン酸の両方から共通の製造装置を用いてγーバレロラクトンを得る方法及び反応設備を提供することである。
【課題を解決するための手段】
【００１９】
本発明者等は、こうした実状に鑑み、従来技術の欠点を解決すべく鋭意研究した結果、本発明の課題を解決するための指針として次のような指針を得た。
（１）高圧反応容器を必要とせず、かつ反応物が触媒の周辺に滞留することにより副生成物を生じたり、触媒表面を汚したりしない反応系として気相反応系を使用することが好ましい。
（２）水素化とそれに続く環化を１ステップで行う反応は、反応活性が高く、且つ毒性で問題を生じることがなく、また触媒製造が容易で、原料価格が安価な銅を金属として使用することが好ましい。
（３）触媒表面積を大きくして多孔質とすることが大きな反応速度を得る上で好ましく、更にその多孔質表面積を還元金属銅が多く露出していることが好ましい。
（４）多孔質構造を取らせ、その構造が高温でも長時間安定に保つために金属酸化物と金属触媒を組み合わせた複合材料を使用することが必要であること。
（５）その上で、表面の露出還元銅の面積を広くとるために、触媒中の酸化銅の重量組成を５０重量％以上とすることが、反応選択率と反応速度の点で好ましい。
【００２０】
上記の指針を基に、酸化銅と組み合わせる金属酸化物を探索した結果、酸化亜鉛、酸化アルミニウムから選択することにより、レブリン酸類及びそのエステル両方からブチロラクトン類を高選択率、高収率で得られることを見出した。また、レブリン酸類の水素化を促進する上で、水素ガスに加えて、アルコール及び／又は水などの溶剤蒸気をレブリン酸類及び／またはそのエステルと共存させて触媒反応させることにより、更に選択率、収率が向上することを見出した。
【００２１】
更に、同一の植物性バイオマスから生成するセルロース由来のレブリン酸エステル、リグニン経由のレブリン酸の両方に対して活性の高い触媒を見出すことにより、共通の製造装置を用いてγ−バレロラクトンを得る方法、そのための反応設備に関する本発明に到達した。
【００２２】
すなわち本発明は、
（１）  以下一般式１：
【００２３】
【化２】
2014166604.tif 000003
［式中、Ｒ１は、炭素原子数１〜４個のアルキル基、Ｒ２及びＲ３はそれぞれ無関係に水素または炭素原子数１〜４個のアルキル基、Ｒ４は水素または炭素原子数８個以下の炭化水素基である］
で表されるレブリン酸（Ｒ４＝水素）及び／またはレブリン酸エステル（Ｒ４＝炭素原子数８個以下の炭化水素基）から以下一般式２
【００２４】
【化３】
2014166604.tif 000004
［式中、Ｒ１、Ｒ２、Ｒ３は、上に定義した通りである］
で表される５−アルキル−ガンマブチロラクトンを製造するための触媒であって、酸化銅と、酸化亜鉛及び／または酸化アルミニウムとを含む酸化物複合体の形の前記触媒；
（２）  酸化銅と酸化亜鉛及び／または酸化アルミニウムとの総量を基準として、酸化銅の割合が５０重量％以上、９５重量％以下である、前記（１）に記載の触媒；
（３）  水素還元して活性化された、上記（１）または（２）に記載の触媒；
（４）  触媒表面に金属銅が存在している、前記（３）に記載の触媒；
（５）  表面積が１０〜５００ｍ２／ｇである、前記（３）または（４）に記載の触媒；
（６）  前記一般式２で表される５−アルキル−ガンマブチロラクトンの製造方法であって、
（ａ）  前記一般式１で表されるレブリン酸及び／またはエステルを用意するステップ、
（ｂ）  （ａ）からのレブリン酸及び／またはエステルを加熱、気化して蒸気を生成するステップ、
（ｃ）  （ｂ）からの蒸気を、前記（３）〜（５）のいずれか一つに記載の触媒の存在下に、水素ガスと気相で反応させて、前記一般式２で表される５−アルキル−ガンマブチロラクトンを生成するステップ、
を含む、前記方法；
（７）  ステップ（ｃ）において、気相での水素ガスとの反応を、前記レブリン酸及び／またはエステルを溶解し得る溶剤の蒸気の存在下に行う、前記（６）に記載の方法；
（８）  レブリン酸及び／またはエステルを溶解し得る溶剤が、水及び炭素原子数１〜６個のアルコールからなる群から選択される少なくとも一種である、前記（７）に記載の方法；
（９）  前記一般式２で表される５−アルキル−ガンマブチロラクトンの製造方法であって、
（ｄ）  前記一般式１で表されるレブリン酸及び／またはエステルを用意するステップ、
（ｅ）  （ｄ）からのレブリン酸及び／またはエステルを加熱、気化して蒸気を生成するステップ、
（ｆ）  前記レブリン酸及び／またはエステルを溶解し得る溶剤を用意するステップ、
（ｇ）  （ｆ）からの溶剤を加熱、気化して溶剤蒸気を生成するステップ、
（ｈ）  （ｅ）からの蒸気を、触媒及び（ｇ）からの溶剤蒸気の存在下に、水素ガスと気相で反応させて、前記一般式２で表される５−アルキル−ガンマブチロラクトンを生成するステップ、
を含む、前記方法；
（１０）  ステップ（ｆ）において、レブリン酸及び／またはエステルを溶解し得る溶剤が、水及び炭素原子数１〜６個のアルコールからなる群から選択される少なくとも一種である、前記（９）に記載の方法；
（１１）  ステップ（ｃ）または（ｈ）において、気相での水素ガスとの反応を、２００℃〜３３０℃の温度下に行う、前記（６）〜（１０）のいずれか一つに記載の方法；
（１２）  ステップ（ｃ）または（ｈ）において、水素を、０．１〜１０ＭＰａの供給圧で導入する、前記（６）〜（１１）のいずれか一つに記載の方法；
（１３）  ステップ（ａ）または（ｄ）において、レブリン酸とレブリン酸エステルとの混合物を用意し、ステップ（ｂ）または（ｅ）においてレブリン酸とレブリン酸エステルとを一つの気化装置で加熱、気化する、前記（６）〜（１２）のいずれか一つに記載の方法；
（１４）  ステップ（ａ）または（ｄ）において、レブリン酸とレブリン酸エステルとを別々に用意し、そしてステップ（ｂ）または（ｅ）において、レブリン酸とレブリン酸エステルとを、それぞれ異なる気化装置において加熱、気化する、前記（６）〜（１２）のいずれか一つに記載の方法；
（１５）  ステップ（ｃ）または（ｈ）において、気化されたレブリン酸とレブリン酸エステルとを一緒にまたは相前後して、同一の触媒反応装置において、触媒と接触させて反応を行う、前記（１４）に記載の方法；
（１６）  ステップ（ａ）または（ｄ）において、レブリン酸酸及び／またはエステルが、これらを溶解し得る溶剤中の溶液として用意され、ステップ（ｂ）または（ｅ）において、レブリン酸及び／またはエステルが溶剤と一緒に加熱、気化され、混合蒸気が生成される、前記（６）〜（１５）のいずれか一つに記載の方法；
（１７）  レブリン酸及び／またはエステルを溶解し得る溶剤が、水及び炭素原子数数１〜６個のアルコールからなる群から選択される少なくとも一種である、前記（１６）に記載の方法；
（１８）  レブリン酸及び／またはレブリン酸エステルが、植物性バイオマスを出発原料とする、前記（６）〜（１７）のいずれか一つに記載の方法；
（１９）  特に上記（６）〜（１８）のいずれか一つに記載の方法を実施するために適した、前記一般式１のレブリン酸とレブリン酸エステルとの両方を原料として、前記一般式２の一つのラクトン化合物を製造するための反応設備であって、
・触媒（０２）を収容した一つの反応装置（０１）、
・原料としてのレブリン酸類及びレブリン酸エステル類を収容、加熱、気化するための共通のまたは別個の槽（１１、１２）、
・前記装置（１１、１２）から原料蒸気を反応装置（０１）に供給するための配管、
・水素ガスを収容するための装置（１３）、
・前記水素ガス収容装置（１３）から反応装置（０１）に水素ガスを供給するための配管、
・任意に、レブリン酸類及びレブリン酸エステル類を溶解し得る溶剤を収容、加熱、気化する装置（１４）、及び前記装置（１４）から溶剤蒸気を反応装置（０１）に供給するための配管、
を備えた、前記反応設備、
である。
【発明の効果】
【００２５】
上述したところからわかるように本発明によれば、強酸による腐食防止を施した反応装置や、高圧反応装置を必要とせずに、環境安全性で好ましい安価な触媒を用いて、レブリン酸類及び／またはそのエステルを水素化、環化してブチロラクトン類を高選択率、高収率で得ることができる。
【００２６】
更には、同一の出発原料であるセルロース、リグニンを経て、同一の製造装置、同一の触媒を用いて、高選択率、高収率でγ−バレロラクトンを経済的に製造することができる。
【図面の簡単な説明】
【００２７】
【図１】図１は、本発明の反応に用いられる反応設備の概念図である。
【発明を実施するための形態】
【００２８】
本発明では、原料となる化合物は、以下の一般式、すなわち
【００２９】
【化４】
2014166604.tif 000005
で表されるレブリン酸及び／またはそのエステルであり（以下、まとめてレブリン酸化合物とも言う）、目的となる５−アルキル−ガンマブチロラクトンは、以下の一般式式（２）
【００３０】
【化５】
2014166604.tif 000006
で表される（以下、簡略してラクトン化合物とも言う）。
【００３１】
上記両式中、Ｒ１は、炭素原子数１〜４個のアルキル基、Ｒ２及びＲ３はそれぞれ無関係に水素または炭素原子数１〜４個のアルキル基、Ｒ４は水素または炭素原子数８個以下の炭化水素基である。前記炭素原子数１〜４個のアルキル基は、炭素原子数１〜４個の線状または分枝状のアルキル基を包含し、例えばメチル、エチル、プロピル、イソプロピル、ブチル、イソブチル、ｔｅｒｔ−ブチルなどが挙げられる。Ｒ４としての炭素原子数８個以下の炭化水素基は、好ましくは炭素原子数４個以下の線状または分枝状アルキル基であり、例えばメチル、エチル、プロピル、イソプロピル、ブチル、イソブチル、ｔｅｒｔ−ブチル、あるいはヘキシルなどの環状脂肪族炭化水素残基、またはベンジル基などの芳香族基が挙げられる。
【００３２】
ここで、Ｒ１は、好ましくは、メチルであり、Ｒ２及びＲ３は、好ましくは、水素であり、Ｒ４は、好ましくは水素、メチルまたはエチルあるいはこれらの混合である。
【００３３】
本発明の態様の一つでは、前記一般式１で表されるレブリン酸及びエステルは、草木類などの植物性バイオマス由来のものであり、特に植物性バイオマス中の主成分のリグニンから誘導されるレブリン酸、他の主成分であるセルロースから誘導されるレブリン酸エステルあることができる。また、他の態様では、糖、でんぷんなど種々の炭水化物から誘導されるレブリン酸及びエステルも好適に使用できる。
【００３４】
またレブリン酸を直接水素化する方法以外に、後述の実施例でも示されるように、レブリン酸をメタノールなどでエステル化して得られるレブリン酸エステルも原料として使用し得る。
【００３５】
本発明によるラクトン化合物合成に使用される触媒は、酸化銅と、酸化亜鉛及び／または酸化アルミニウムとを含む酸化物複合体の形態のものである。この酸化物複合体を水素化して、最終の活性触媒とすることができる。
【００３６】
ここにおいて銅含有量が高い程、反応収率が高いことから、銅元素が露出する表面積が高いほど反応速度は大きくなると考えられる。このことから、水素ガスが吸着してレブリン酸類及び／またはそのエステルの水素化を起こす活性点は、銅金属原子にあると考えられる。また触媒とレブリン酸化合物との接触面積が大きい程、反応速度にとって好ましく、その触媒の幾何学的構造は多孔質構造を取ることが好ましい。その多孔質構造は、後述する触媒の製造工程において、金属水酸化物を加熱して酸化物を形成する際に、水蒸気が抜ける際に形成される。
【００３７】
本発明の触媒は、活性化後は、Ｃｕ／ＣｕＯとＺｎＯ及び／またはＡｌ２Ｏ３が均一に混合した状態にあるのではなく、固体内で不均一に構成成分が分布した状態にあり、少なくとも固体表面の一部に金属銅（Ｃｕ）が析出した構造を持つ。
【００３８】
そのような多孔質構造を取らせるための酸化物として種々の金属酸化物を探索したところ、性能と経済性の両方を満たし、且つ毒性の低い酸化物として酸化亜鉛とアルミナが好ましいことが判明した。その理由は現在検討中であるが、複合体形成時の多孔質構造や、触媒表面の銅の分散などが、反応に好ましい状態となっていることが推察され、また水素ガス、レブリン酸化合物のガスの吸着が、金属銅のみならず金属酸化物によっても変化し、酸化亜鉛、アルミナが水素化にとって好ましい配置を取るものと思われる。
【００３９】
酸化銅と酸化亜鉛及び／または酸化アルミニウムとの酸化物複合材料中、酸化銅の含有量は好ましくは５０〜９５重量％である。５０重量％未満では目的のラクトン化合物の収率が低下する傾向があり、９５重量％超でも同様に収率が低下し、また物理的強度も低下するために、触媒寿命が低下しやすい。
【００４０】
本発明に使用する触媒のＢＥＴ表面積は、１０〜５００ｍ２／ｇであることが好ましい。その範囲より小さい場合には、反応速度が低下し、またその範囲より大きい場合には、触媒の機械的強度が低下して、高温反応における触媒劣化が進みやすい。より好ましい該銅系触媒のＢＥＴ表面積は、１５〜２００ｍ２／ｇであり、更に好ましくは２０〜１５０ｍ２／ｇである。
【００４１】
また酸化銅と複合させる金属酸化物は、単独である必要はなく、酸化亜鉛と酸化アルミニウムを混合、複合させることも可能であり、すなわち、ＣｕＯ／ＺｎＯ、ＣｕＯ／Ａｌ２Ｏ３、及びＣｕＯ／ＺｎＯ／Ａｌ２Ｏ３の系のいずれも可能である。
【００４２】
触媒は、その他の成分、たとえばタブレット化助剤や不活性な充填材を含んでいてもよい。
【００４３】
本発明による触媒は、例えば、銅化合物と、亜鉛化合物及び／またはアルミニウム化合物とを、塩基性溶液と混合し、沈殿させ、この沈殿物を焼成することによって得られる。
【００４４】
具体的な方法は、例えば銅化合物と、亜鉛化合物及び／またはアルミニウム化合物とを含む溶液に塩基性溶液を加えて前記化合物を沈殿させる方法、すなわち共沈法である。なお、触媒の調製は、例えば、はじめに一成分を含む溶液に塩基性溶液を加えて一成分を沈殿させ、ついで、該沈殿物を含む液中で残りの成分を同様に沈殿させる方法、すなわち逐次沈殿法で行うこともできる。いずれの方法においても、触媒調製の主原料は、銅化合物、亜鉛化合物、アルミニウム化合物であり、水、メタノールなどの金属を含まない液体に溶解するものが用いられる。このような化合物としては、例えばそれぞれの元素の硝酸塩、硫酸塩、酢酸塩などが挙げられる。また、沈殿剤としては、炭酸ナトリウム、尿素、アンモニア、水酸化ナトリウム、炭酸アンモニウム、水酸化カリウム、炭酸水素ナトリウムなどの塩基性溶液を用いることができる。
【００４５】
沈殿物は、調製後、空気中で３００〜６５０℃で焼成して酸化物の状態にすることが必要である。このようにすることにより、安定な複合体とすることができる。焼成しないか、３００℃未満の温度で焼成するか、あるいは６５０℃を越える温度で焼成すると性能が低下する。上記のことから、本発明の水素化触媒の製造方法は、一つの態様では、銅化合物と、亜鉛化合物及び／またはアルミニウム化合物とを含む溶液に塩基性溶液を加えて金属水和物を沈殿させた後、この沈殿物を３００〜６５０℃で焼成して、複合酸化物とすることを含む。
【００４６】
また、他の態様として、該触媒の製造には、前記の沈殿法の他に、含浸法も使用でき、この方法では、酸化亜鉛及び／または酸化アルミニウムに、銅化合物を含浸し、次いで焼成を行う。焼成条件は上記と同じである。
【００４７】
本発明の複合酸化物の形の触媒は、その形状、表面構造、表面積などを安定に維持できるように、造粒などの成形がなされて使用できる。そのことによってレブリン酸化合物の反応速度を長時間にわたり安定化させることができる。触媒は公知の方法で成形しても良いし、そのまま用いても良い。触媒の粒子径、形状は反応の方式、反応器の形状によって任意に選択し得る。
【００４８】
この複合酸化物は、触媒としての使用のために、水素前還元を必要とする。その処理により、複合酸化物中の酸化銅の少なくとも一部、特に複合酸化物の表面の酸化銅が銅に還元される。その処理は、水素の存在下に、好ましくは温度を室温から１８０〜３８０℃、特に好ましくは室温から１９０〜３００℃に、次第に高めることからなる。
【００４９】
活性化処理に使用する還元水素ガスは、純水素ガスでもよいし、または水素と不活性ガス（例えば窒素、アルゴン）との希釈ガスであってもよい。例えば、ボンベ入りで供給される通常の水素ガスを使用することが出来る。活性化処理の後、触媒として使用可能になる。活性化は、反応器の寸法と設計によって異なるが、通常は約０．５〜４８時間の間で変動する時間を必要とする。
【００５０】
活性化のための装置は特に限定されず、ラクトン化合物製造に使用する反応装置、たとえば、気相流通反応装置をそのまま用いることもできる。該装置に予め調製された触媒の所定量を入れたのち、水素還元して活性な触媒を調製し、ひきつづき、これに原料のレブリン酸化合物と水素ガスを供給してラクトン化合物を製造する方法を好適に使用できる。
【００５１】
レブリン酸化合物の水素化反応に使用される水素ガスとしては、前記触媒活性化用のもの同様のものが使用できる、すなわち純水素ガス、または水素と不活性ガス（例えば窒素、アルゴン）との希釈ガスを使用でき、例えば、ボンベ入りで供給される通常の水素ガスを使用することができる。
【００５２】
本発明におけるレブリン酸化合物の水素化反応工程では、上記触媒使用と共にレブリン酸化合物の良溶剤の蒸気を触媒表面上で水素ガスと共存させることにより、ラクトン化合物の反応選択率、収率を高めることができる。この良溶剤としてはレブリン酸化合物を溶解し得る溶剤であれば特に限定されないが、副反応が少なく高収率が得られやすいという理由から特にアルコール類、もしくは水から選択されることが好ましい。
【００５３】
前記溶剤は、レブリン酸化合物とは別の経路で加熱気化して反応器に導入してもよいし、またはレブリン酸化合物を、この溶剤に溶解した溶液として用意し、一緒に加熱気化して、反応器に導入してもよい。
【００５４】
溶剤の量は、原料のレブリン酸化合物１重量部に対し、一般的に０．１〜２００重量部、好ましくは０．５〜５０重量部の量で反応系に存在させることが有利である。０．１重量部未満であると、溶剤の効果が発揮されずに突沸などの恐れがあり、他方２００重量部を超えると、反応速度が小さくなる。
【００５５】
水素ガスと共存してレブリン酸化合物からラクトン化合物形成を促進するアルコールとしては、炭素原子数１〜６個のアルコールを使用でき、特に好ましいのは炭素原子数１個のメタノール、２個のエタノールである。炭素原子数６を越えると、沸点が高くなり経済性、取り扱い性の点で好ましくない。
【００５６】
水は、加熱して水蒸気として供給されるが、水道水や井戸水を使用できるが、それらを脱イオン処理した水などが好適に使用される。
【００５７】
尚、レブリン酸化合物の水素化反応に対する本発明の溶剤ガスを共存させる効果は、実施例で後述するように、溶剤が、触媒細孔中に吸着した原料、生成物を除去し、反応活性を高めるためと考えられ、そのため上記の銅系触媒に限らず、例えば特許文献１に記載のある銅酸化マグネシウム、ニッケル酸化ケイ素触媒などでも同様に期待できる。
【００５８】
従って、本発明は、前記一般式１で表されるレブリン酸及び／またはエステルから前記一般式２で表される５−アルキル−ガンマブチロラクトンを製造する方法であって、前記レブリン酸及び／またはエステルを、触媒の存在下、及びレブリン酸及び／又はエステルの溶剤蒸気の存在下に、水素ガスと気相で反応させる、前記方法も提供するものである。この場合、溶剤としては水及び炭素原子数１〜６個のアルコールからなる群から選択される少なくとも一種の溶剤から選択されることが好ましい。この際、触媒としては、前記銅系触媒の他、銅酸化マグネシウム、ニッケル酸化ケイ素触媒など、レブリン酸化合物からラクトン化合物への転化に活性を示す任意の触媒が可能である。
【００５９】
本発明のラクトン化合物合成に使用する製造装置としては、高温下、水素と原料ガス（レブリン酸化合物）を触媒が収納された容器中に流しながら反応させ、容器から流出したラクトン化合物などを取り出すことのできる装置であればいずれの構造も使用できるが、その中でも特に固定床流通式反応装置、それも常圧方式の装置が好ましい。
【００６０】
反応設備としては図１の模式図で示される設備が例示される。レブリン化合物やアルコールを加熱気化させる気化装置と、気化したガスを反応系に導入する配管、及び水素ガス供給のための配管などが配置された上、温度センサーとそれによる加熱制御装置、各ガスの流量計などが設けられて、最適な反応条件に設定、制御される。その制御の方法としては触媒通過後の配管の一部にガス取り出し口を設け、ガスクロマトグラフィー分析などにより生成物をモニターしながらおこなうことも好適に行われる。
【００６１】
触媒を通過した原料ガスと生成物の混合ガスの一部を、再度触媒容器に導き循環して反応させるとより高い収率を実現することもできる。
【００６２】
レブリン酸化合物の水素化温度としては好ましくは２００〜３３０℃、特に好ましくは２３０〜３２０℃である。この範囲より低いと選択率や収率が低下し、この範囲より温度が高いと反応速度の低下や、触媒の寿命の低下を招く。反応温度が高すぎると反応速度が低下するのは、レブリン酸化合物の水素化が発熱反応であることによると考えられている。
【００６３】
充填される触媒量、レブリン酸化合物及び水素やアルコールなどの反応ガスの流量は、反応装置の大きさ、必要とする収率などのパラメーターを考慮して最適に設計される。
【００６４】
ここで触媒への水素ガス供給圧力は０．０５〜５０．０ＭＰａが好ましい。この範囲以下だと周囲の大気圧より著しく低くなるため、反応系に空気が入りやすくなり、この範囲以上だと高圧仕様の製造装置となり、高コストとなりやすい。水素ガス圧力のより好ましい範囲は０．１〜１０．０ＭＰａである。
【００６５】
図１は、本発明の反応に用いられる設備の概念図である。０１は反応装置であり、常圧固定床流通式反応装置などが好適に使用される。０２は触媒容器に収められた触媒である。１３は水素ガス供給装置であり、反応装置に収められた触媒には、使用前に水素ガス供給装置１３からの水素ガスが加熱しながら供給され、活性化処理が行われる。
【００６６】
１１、１２はレブリン酸ガス供給装置、レブリン酸エステルガス供給装置であり、水素ガスと共に触媒槽に供給されて加熱されて水素化される。１４はアルコールガス供給装置であり、レブリン酸の水素化反応を促進するために、レブリン酸と共に触媒槽に供給されて、ラクトン形成を促進する。
【００６７】
２１から２５はそれぞれのガスの流量計、４１はストップバルブ、３１〜３５はガス圧力計、４２は温度計である。それぞれのガスの流量を不図示のマスフローメーターで制御しながら、ガスを触媒槽に供給し、触媒槽の温度を制御しながら水素化反応を行わせる。生成したγ−バレロラクトンはストックタンク０３に移送されて冷却、液化して生成物として回収される。５１はガスクロマトグラフ分析装置であり、反応装置から出てきたガスの成分分析をモニターしながら、γ−バレロラクトンの生成速度が大きくなるように、ガス供給量や反応温度を制御する。
【００６８】
上記の説明はレブリン酸の水素化反応を例にとり説明したが、原料ガスとしてレブリン酸とレブリン酸エステルの両方を別々のガス供給装置に仕込み、同時に反応させることも可能である。また、レブリン酸とレブリン酸エステルの反応を、製造時間を分けて別々に行わせることも、またレブリン酸とレブリン酸エステルを混合した状態から、ガスを発生させて反応させることも可能であり、プラント内における植物性バイオマスからのセルロース原料、リグニン原料の処理状況に応じて適宜、選択される。
【００６９】
また図１は、レブリン酸、レブリン酸エステルの原料供給はそれぞれ単体の材料の加熱気化により行い、アルコールはまた別の気化装置を用いる方法に基づいているが、レブリン酸及び／またはレブリン酸エステルを溶剤に溶解したものを加熱して、レブリン酸化合物と溶剤ガスを同時に気化、供給する方法も可能である。レブリン酸化合物を直接加熱・気化させる方法では、突沸などにより気化が不安定となり、微細なレブリン酸化合物が触媒反応系に流入し、反応を不安定にさせる懸念があるのに対して、溶剤に溶解した状態から加熱気化させる方法はレブリン酸化合物の気化が安定しやすく、触媒の性能低下を小さくする上で好ましい。またメタノールなどの溶剤中には、レブリン酸とレブリン酸エステルの複数成分を溶解させて、同一の気化装置から溶剤ガス、レブリン酸、レブリン酸エステルを同時に蒸発させることも可能である。
【００７０】
尚、上述した異なる構造のレブリン酸化合物を、一つの反応装置を用いて水素添加し、同一の生成物を得る方法、反応設備は本発明によって新たに提案されるものである。該設備は、本発明の銅系触媒に限られず、他の触媒でも可能なことが本発明者により見出されている。そのような触媒の例としては、上記特許文献１及び特許文献３に記載の触媒も好適に使用できる。例えば銅酸化マグネシウム、ニッケル酸化ケイ素触媒や、Ｐｔ、Ｐｄ、Ｒｈなどの貴金属などを使用し得る。
【００７１】
従って、本発明は、異なる構造のレブリン酸化合物、すなわち上記一般式１のレブリン酸類とレブリン酸エステルとの両方を原料として上記一般式２の一つのラクトン化合物を製造するための反応設備であって、
・触媒（０２）を収容した一つの反応装置（０１）、
・原料としてのレブリン酸及びレブリン酸エステルを収容、加熱、気化するための共通のまたは別個の装置（１１、１２）、
・前記装置（１１、１２）から原料蒸気を反応装置（０１）に供給するための配管、
・水素ガスを収容するための装置（１３）、
・前記水素ガス収容装置（１３）から反応装置（０１）に水素ガスを供給するための配管、
・任意に、レブリン酸類及びレブリン酸エステル類を溶解し得る溶剤を収容、加熱、気化する装置（１４）、及び前記装置（１４）から溶剤蒸気を反応装置（０１）に供給するための配管、
を備えた、前記反応設備を提供する。ここにおいて、気化装置は、レブリン酸の加熱気化用とレブリン酸エステルの加熱気化用とが同一であっても、もしくは別個に設けられていてもよい。
【００７２】
該反応設備は、本発明の触媒を使用して操業するのに特に適したものである。
【００７３】
実施例１
ａ）触媒製造
加熱可能で撹拌装置を備える沈殿容器中に水１．５ｌを予め装入し、８０℃に加熱する。この沈殿容器中に１時間かけて水２０００ｍｌ中のＣｕ（ＮＯ３）２・２．５Ｈ２Ｏ  ７３１ｇおよびＡｌ（ＮＯ３）３・９Ｈ２Ｏ  １２００ｇからなる金属塩溶液を仕込みおよび同時に２０質量％の水酸化ナトリウム溶液を撹拌下に、沈殿容器中のｐＨ値が８に達するまで供給し、このｐＨ値で更に１５分間攪拌する。水酸化ナトリウム溶液の全使用量は５．６ｋｇである。生じた懸濁液を濾別し、水を用いて、流れる洗浄水がニトレートをもはや含有しなくなるまで（＜２５ｐｐｍ）洗浄する。フィルターケーキを最初に１２０℃で乾燥し、引き続き６００℃で焼成する。ここにおいて焼成とは、固体原料を加熱し、熱分解により揮発性成分を脱出させ，安定な生成物を取得する処理をさす。そのように製造された触媒（銅アルミ触媒１）の酸化物組成はＣｕＯが６０．５重量％およびＡｌ２Ｏ３が３９．５重量％である（Ｃｕ含有率４８．３重量％）。この触媒粉末４００ｇを粒度＜１ｍｍまで破砕し、グラファイト粉末１２ｇと混合し、強力に混合し、直径３ｍｍおよび高さ３ｍｍの錠剤に打錠する。
ｂ）反応設備と触媒活性化
図１におけるレブリン酸ガス供給装置、レブリン酸エステルガス供給装置、及びアルコールガス供給装置が無い点を除き、図１と同じ要素を持つ実験用常圧固定床流通式反応装置を用いた。その場合、レブリン酸メチルの供給は、シリンジポンプを用いて定量注入、気化させることにより行った。触媒０．５グラムを触媒容器に設置し、水素ガスを３０ｃｍ３／分で流しながら、２００℃に保ちながら１時間触媒活性化処理を行った。
ｃ）水素化
レブリン酸メチルを原料供給用のシリンジポンプから充填し加熱気化させて、１．６ｃｍ３／時の速度で反応装置０１に供給した。同時に水素ガスボンベ１３からの純水素ガスをバルブ制御しながら３０ｃｍ３／分の流量で供給し、２４０℃、５時間、水素化反応を行った。反応装置から出たガスをガスクロマトグラフ装置でガス成分分析（内部標識として１−ブタノールを使用）を行いつつ、ドライアイスーアセトンで冷却した容器０３に生成物をストックした。生成物を分析したところ、それぞれモルベースで、γ−バレロラクトン（ＧＶＬと略）への選択率が９９％、収率として６４％と高い値が得られた（表１参照）。
【００７４】
比較例１〜３
アルミナ担体に貴金属であるＲｈを全触媒重量の５重量％担持した比較例１サンプル（Ｒｈ触媒）、同様にＲｕを５重量％担持した比較例２サンプル（Ｒｕ触媒）、同様にＰｔを５重量％担持した比較例３サンプル（Ｐｔ触媒）を用意した。これらの比較例サンプルを使用して、実施例１と同じ設備を用い、同様の条件でレブリン酸メチルの水素化反応を行った。それぞれモルベースで、その時のＲｈ触媒のγ−バレロラクトン収率は２１％、Ｒｕ触媒でのγ−バレロラクトン収率は４８．４％、Ｐｔ触媒でのγ−バレロラクトン収率は１４．１％であった（表１参照）。
【００７５】
尚、比較例に用いたアルミナ担持した貴金属触媒の調製は、実施例１の方法において、銅を混合させずにアルミニウム塩のみを用いてアルミナを作成、成形したアルミナ担体を、貴金属塩を溶解した溶液に浸漬して所定量貴金属を付着させた後、前述と同様の方法により加熱、活性化処理を行ったものを使用した。
【００７６】
実施例２
硝酸銅三水和物１３０．２ｇ及び硝酸亜鉛六水和物４０．６ｇを蒸留水に溶解して５００ｍｌの水溶液を調製しＡ液とした。また、別に無水炭酸ナトリウム７４．２ｇを蒸留水に溶解して５００ｍｌの水溶液を調製しＢ液とした。激しく攪拌した４００ｍｌの蒸留水中に、Ａ液とＢ液をともに３ｍｌ／分の速度で滴下した。得られた沈殿物を蒸留水で洗浄した後、１２０℃で乾燥し、４００℃にて空気中で３時間焼成した。この触媒の組成は、ＣｕＯ７９．６ｗｔ％、ＺｎＯ２０．４ｗｔ％であった（Ｃｕ含有率６３．６重量％）。この触媒を水素還元して得た活性触媒（銅亜鉛触媒２）を用い、実施例１と同様の方法によりレブリン酸メチルの水素化反応を行った。
【００７７】
実施例３
市販の銅アルミ触媒３（ＣｕＯ；５５．１ｗｔ％、Ａｌ２Ｏ３；４４．９ｗｔ％；Ｃｕ含有率４４．０重量％）を用いた以外は実施例１と同様の方法、条件によりレブリン酸メチルの水素化反応を行い、その結果を表１に示した。
【００７８】
実施例４
市販の銅亜鉛触媒４（ＣｕＯ；５３．０ｗｔ％、ＺｎＯ；４７．０ｗｔ％；Ｃｕ含有率４２．３重量％）を用いた以外は実施例１と同様の方法、条件によりレブリン酸メチルの水素化反応を行い、その結果を表１に示した。
【００７９】
実施例５
市販の銅アルミ触媒５（ＣｕＯ；１４．９ｗｔ％、Ａｌ２Ｏ３；８５．１ｗｔ％；Ｃｕ含有率：１１．９重量％）を用いた以外は、実施例１と同様の条件でレブリン酸メチルの水素化を行い、その結果を表１に示した。
【００８０】
【表１】
2014166604.tif 000007
【００８１】
実施例６
実施例３で用いた市販触媒（銅アルミ触媒３）を用い、反応原料をレブリン酸メチルの代わりにレブリン酸を使用してその水素化反応を行った。反応温度を２８０℃とした以外は、実施例１と同様の方法で行った。その結果を表２に示した。
【００８２】
実施例７
市販触媒（銅アルミ触媒３）を用い、水素ガス流量を３０ｍｌ／分から１２０ｍｌ／分と上昇させた以外は実施例６と同様の方法により、レブリン酸の水素化反応を行った。その結果を表２に示した。
【００８３】
【表２】
2014166604.tif 000008
【００８４】
実施例８
市販銅アルミ触媒３を使用して、レブリン酸とメタノールの混合溶液をシリンジポンプで定量採取し、１．８ｍｌ／時の速度で反応系に注入させることにより加熱気化させた。また水素ボンベから水素ガスを１２０ｍｌ／分の流速で供給しながら、メタノール共存条件でレブリン酸の水素化反応を行った。この時のメタノール、水素、レブリン酸気体の流速比は、１３：３２：１３となるように調整した。レブリン酸とメタノール混合溶液を原料として上記の流速で反応することの条件を除き、実施例７と同様の条件で反応を行い、その結果を表３に示した。
【００８５】
実施例９
実施例８において、反応温度２８０℃から３００℃に上昇させた以外は、実施例８と同様の方法、条件により、メタノールを共存させながら水素化反応を行った。その結果を表３に示した。
【００８６】
実施例１０
実施例９における共存溶媒のメタノールを、水に置き換えた以外は、実施例９と同様の方法、条件により水素化反応を行った。その結果を表３に示した。
【００８７】
実施例１１
共存させる溶媒を用いず、レブリン酸単独で反応系に供給する点を除き、実施例９と同様の方法により水素化反応を行った結果を、表３に示した。
【００８８】
この実施例１１と実施例９〜１０を比較すると、レブリン酸の溶媒であるメタノールや水などのガス共存により、ラクトンの生成収率が向上する効果が認められた。その理由の詳細は検討中であるが、一つの理由として、メタノールガスが触媒近傍に存在しない状態では、沸点もしくは粘性の高いレブリン酸、もしくはラクトンが触媒表面の細孔に吸着して反応を阻害するのに対して、メタノールガスがその吸着物質を除去するために、反応活性が高まることも推察される。
【００８９】
【表３】
2014166604.tif 000009
【００９０】
実施例１２
実施例８における市販の銅アルミ触媒の代わりに、実施例２の銅亜鉛触媒２を用いた以外は、実施例８と同様の方法、条件で水素化反応を行わせたところ、選択率、収率共に良好な結果を得た。
【００９１】
実施例１３
図１で示される固定床流通式実験反応装置を準備した。実施例１の銅アルミ触媒１  ０．５グラムを触媒容器０２に充填し、またレブリン酸、レブリン酸メチル、及びメタノールをそれぞれ気化装置１１、及び１２、及び１４に充填した。
【００９２】
次いで、水素ガスを３０ｃｍ３／分で流しながら、２００℃に保ちながら１時間触媒活性化処理を行った。
【００９３】
レブリン酸を気化供給装置１１から加熱気化させて、１．０ｃｍ３／時の速度で反応装置０１に供給した。またレブリン酸メチルを気化供給装置１２から加熱気化させて、１．０ｃｍ３／時の速度で反応装置０１に供給した。また気化供給装置１４からメタノールを気化させて反応装置０１に供給した。同時に水素ガスボンベ１３からの水素ガスをバルブ制御しながら３０ｃｍ３／分の流量で供給し、２４０℃、５時間、水素化反応を行った。得られたγ−バレロラクトンの選択率、収率共にモルベースで９０％以上と高い値が得られた。
【００９４】
以上、実施例１〜１１、比較例１〜３から
１）本発明の銅系触媒において酸化銅の割合が５０重量％以上の触媒を使用することにより、レブリン酸及びレブリン酸エステルからγ−バレロラクトンを特に高選択率、高収率で得られる、
２）アルコールガス等の溶剤を反応時に共存させることにより、γ−バレロラクトンの収率が向上する、
３）植物性バイオマスを出発原料とするセルロースの加溶媒分解で得られるレブリン酸メチル、リグニンから３−カルボキシムコノラクトン経由で得られるレブリン酸を、同一の触媒、同一の反応装置により、目的物質であるγ−バレロラクトンを高選択率、高収量で得られる、
ことが判明した。
【符号の説明】
【００９５】
０１  常圧固定床流通式反応装置
０２  触媒
０３  反応生成物ストックタンク
０４  冷却トラップ
１１  レブリン酸ガス供給装置
１２  レブリン酸エスエルガス供給装置
１３  水素ガス供給装置
１４  アルコールガス供給装置
２１〜２５  ガス流量計
３１〜３５  圧力計
４１  バルブ
４２  温度計
４３  配管
５１  ガスクロマトグラフ分析装置
【図１】
2014166604.tif 000012